【手続補正書】
【提出日】平成19年7月26日(2007.7.26)
【手続補正１】
【補正対象書類名】明細書
【補正対象項目名】発明の名称
【補正方法】変更
【補正の内容】
【発明の名称】画像処理装置、画像処理方法、及びプログラム
【手続補正２】
【補正対象書類名】明細書
【補正対象項目名】特許請求の範囲
【補正方法】変更
【補正の内容】
【特許請求の範囲】
【請求項１】  外部より印刷データを入力する印刷データ入力手段と、
上記印刷データ入力手段により入力された印刷データを解析して画像データを生成する画像データ生成手段と、
第１情報を入力する第１情報入力手段と、
上記第１情報入力手段により入力された第１情報及び本装置固有の情報に基づいて、上記画像データを暗号化する暗号化手段と、
上記暗号化手段により暗号化された画像データを記憶する記憶手段と、
を備えることを特徴とする画像処理装置。
【請求項２】  上記第１情報は、ユーザを特定する情報を含むことを特徴とする請求項１に記載の画像処理装置。
【請求項３】  更に、上記第１情報入力手段が第２情報を入力し、かつ、上記第１情報と上記第２情報とが一致した場合に上記第１情報と上記本装置固有の情報とに基づいて暗号化された画像データを復号化する復号化手段と、
上記復号化手段が復号化した画像データを印刷出力する出力手段と、
を備えることを特徴とする請求項１又は２に記載の画像処理装置。
【請求項４】  上記印刷データは、上記画像データ生成手段が生成した画像データを出力手段に印刷出力させるか上記記憶手段に記憶させるかを指定可能な属性情報を含み、
上記印刷データ入力手段が入力した印刷データが上記画像データ生成手段が生成した画像データを出力手段に印刷出力させることを指定する属性情報を有している場合には、上記画像データ生成手段が上記印刷データを解析して生成した画像データを上記暗号化手段で暗号化することなく上記出力手段で印刷出力し、上記印刷データ入力手段が入力した印刷データが上記画像データ生成手段が生成した画像データを上記記憶手段に記憶させることを指定する属性情報を有している場合には、上記画像データ生成手段が上記印刷データを解析して生成した画像データを上記暗号化手段により暗号化して上記記憶手段に記憶することを特徴とする請求項３に記載の画像処理装置。
【請求項５】  更に、上記暗号化手段が暗号化処理を行うのに用いる暗号化情報、及び上記復号化手段が復号化処理を行うのに用いる復号化情報を記憶する暗号／復号情報記憶手段を備え、
上記暗号化手段は、上記暗号／復号情報記憶手段内の暗号化情報を用いて上記画像データを暗号化し、
上記復号化手段は、上記暗号／復号情報記憶手段内の復号化情報を用いて上記暗号化された画像データを復号化することを特徴とする請求項３又は４に記載の画像処理装置。
【請求項６】  更に、上記記憶手段が上記画像処理装置から切り離されたことに基づいて、上記暗号／復号情報記憶手段内の情報を消去する情報消去手段と、
上記記憶手段が上記画像処理装置から切り離されたことに基づいて、新たな暗号化情報、及び復号化情報を生成する情報生成手段と、
を備え、
上記暗号／復号情報記憶手段は、上記情報生成手段で生成された新たな暗号化情報、及び復号化情報を記憶することを特徴とする請求項５に記載の画像処理装置。
【請求項７】  画像処理装置における画像処理方法であって、
外部より印刷データを入力する印刷データ入力ステップと、
上記印刷データ入力ステップにおいて入力した印刷データを解析して画像データを生成する画像データ生成ステップと、
第１情報を入力する第１情報入力ステップと、
上記第１情報入力ステップにおいて入力された第１情報及び上記画像処理装置に固有の情報に基づいて、上記画像データを暗号化する暗号化ステップと、
上記暗号化ステップにおいて暗号化された画像データを記憶手段に記憶する記憶ステップと、
を備えることを特徴とする画像処理方法。
【請求項８】  更に、第２情報を入力し、上記第１情報と上記第２情報とが一致した場合に上記第１情報と上記本装置固有の情報とに基づいて暗号化された画像データを復号化する復号化ステップと、
上記復号化ステップで復号化した画像データを印刷出力する出力ステップと、を備えることを特徴とする請求項７に記載の画像処理方法。
【請求項９】  画像処理装置の制御のためのプログラムであって、
コンピュータに、
外部より印刷データを入力する印刷データ入力ステップと、
上記印刷データ入力ステップにおいて入力した印刷データを解析して画像データを生成する画像データ生成ステップと、
第１情報を入力する第１情報入力ステップと、
上記第１情報入力ステップにおいて入力された第１情報及び上記画像処理装置に固有の情報に基づいて、上記画像データを暗号化する暗号化ステップと、
上記暗号化ステップにおいて暗号化された画像データを記憶手段に記憶する記憶ステップと、
を実行させることを特徴とするプログラム。
【請求項１０】  更に、第２情報を入力し、上記第１情報と上記第２情報とが一致した場合に上記第１情報と上記本装置固有の情報とに基づいて暗号化された画像データを復号化する復号化ステップと、
上記復号化ステップで復号化した画像データを印刷出力する出力ステップと、を備えることを特徴とする請求項９に記載のプログラム。
【手続補正３】
【補正対象書類名】明細書
【補正対象項目名】０００１
【補正方法】変更
【補正の内容】
【０００１】
【発明の属する技術分野】
本発明は、例えば、ハードディスク記憶装置等の不揮発性大容量補助記憶装置を有し、ホストコンピュータ等と接続され、文章や映像等の画像データを受信、或いは外部装置から画像情報を入力して印刷処理する装置或いはシステムに用いられる、画像処理装置、画像処理方法、及びプログラムに関するものである。
【手続補正４】
【補正対象書類名】明細書
【補正対象項目名】００１３
【補正方法】変更
【補正の内容】
【００１３】
そこで、本発明は、上記の欠点を除去するために成されたもので、印刷出力等の出力対象となる情報の機密性を向上させることを可能にした、画像処理装置、画像処理方法、及びプログラムを提供することを目的とする。
【手続補正５】
【補正対象書類名】明細書
【補正対象項目名】００１４
【補正方法】変更
【補正の内容】
【００１４】
【課題を解決するための手段】
斯かる目的下において、本発明に係る画像処理装置は、外部より印刷データを入力する印刷データ入力手段と、上記印刷データ入力手段により入力された印刷データを解析して画像データを生成する画像データ生成手段と、第１情報を入力する第１情報入力手段と、上記第１情報入力手段により入力された第１情報及び本装置固有の情報に基づいて、上記画像データを暗号化する暗号化手段と、上記暗号化手段により暗号化された画像データを記憶する記憶手段と、を備えることを特徴とする。
【手続補正６】
【補正対象書類名】明細書
【補正対象項目名】００１５
【補正方法】変更
【補正の内容】
【００１５】
また、本発明に係る画像処理方法は、画像処理装置における画像処理方法であって、外部より印刷データを入力する印刷データ入力ステップと、上記印刷データ入力ステップにおいて入力した印刷データを解析して画像データを生成する画像データ生成ステップと、
第１情報を入力する第１情報入力ステップと、上記第１情報入力ステップにおいて入力された第１情報及び上記画像処理装置に固有の情報に基づいて、上記画像データを暗号化する暗号化ステップと、上記暗号化ステップにおいて暗号化された画像データを記憶手段に記憶する記憶ステップと、を備えることを特徴とする。
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】変更
【補正の内容】
【００１７】
また、本発明に係るプログラムは、画像処理装置の制御のためのプログラムであって、コンピュータに、外部より印刷データを入力する印刷データ入力ステップと、上記印刷データ入力ステップにおいて入力した印刷データを解析して画像データを生成する画像データ生成ステップと、第１情報を入力する第１情報入力ステップと、上記第１情報入力ステップにおいて入力された第１情報及び上記画像処理装置に固有の情報に基づいて、上記画像データを暗号化する暗号化ステップと、上記暗号化ステップにおいて暗号化された画像データを記憶手段に記憶する記憶ステップと、を実行させることを特徴とする。
【手続補正９】
【補正対象書類名】明細書
【補正対象項目名】００１８
【補正方法】削除
【補正の内容】